(57)【特許請求の範囲】
【請求項１】
発電電力を交流電力に変換し交流電力系統と連系して運転する分散型電源において、
前記交流電力系統及び前記分散型電源の出力の電圧位相に同期し所定の位相で出力する電流指令に合致するように前記分散型電源の出力電流の制御を行い、前記交流電力系統の電圧の周波数の変化量(ｄｆ／ｄｔ)を関数演算した
【数１】
0004038318.tif 000009
を最新検出した交流電力系統の電圧の周波数ｆに加えたｆ＊＝ｆ＋Ｆ(ｄｆ／ｄｔ)を新たな電流指令の周波数とすることを特徴とする分散型電源の系統連系保護方法。
【請求項２】
発電電力を交流電力に変換し交流電力系統と連系して運転する分散型電源において、
前記交流電力系統及び前記分散型電源の出力の電圧位相に同期し所定の位相で出力する電流指令に合致するように前記分散型電源の出力電流の制御を行い、前記交流電力系統の電圧の周期の変化量ΔＴを関数演算した
【数２】
0004038318.tif 000010
を最新検出した交流電力系統の電圧の周期Ｔに加えたＴ＊＝Ｔ＋Ｆ(ΔＴ)を新たな電流指令の周期とすることを特徴とする分散型電源の系統連系保護方法。
【請求項３】
電圧の所定位相間に発生した既知の周期を有する基準クロックのクロック数をディジタル計数して電圧の周期を計測することを特徴とする請求項２に記載の分散型電源の系統連系保護方法。
【請求項４】
電圧の周波数又は周期が所定範囲を超えた延べ時間が所定時間内に所定時間以上、または周波数又は周期が所定範囲を超えた回数が所定時間内に所定回数以上発生したとき、単独運転と判断することを特徴とする請求項１ないし３のいずれかに記載の分散型電源の系統連系保護方法。
【請求項５】
電流指令の周波数又は周期の変更は電流指令又は出力電流のゼロクロスにて行うことを特徴とする請求項１ないし４のいずれかに記載の分散型電源の系統連系保護方法。
【請求項６】
発電電力を交流電力に変換し交流電力系統と連系して運転する分散型電源において、
負荷に供給される交流電圧の周波数を検出する周波数検出手段と、
前記交流電力系統の電圧の周波数の変化量(ｄｆ／ｄｔ)を関数演算した
【数３】
0004038318.tif 000011
を最新検出した交流電力系統の電圧の周波数ｆに加えたｆ＊＝ｆ＋Ｆ(ｄｆ／ｄｔ)を新たな電流指令の周波数として求める電流指令周波数演算手段と、
前記交流電力系統及び前記分散型電源の出力の電圧位相に同期し所定の位相で出力する前記周波数の電流指令に合致するように前記分散型電源の出力電流の制御を行う分散型電源出力電流制御手段と、
を備えたことを特徴とする分散型電源の系統連系保護装置。
【請求項７】
発電電力を交流電力に変換し交流電力系統と連系して運転する分散型電源において、
負荷に供給される交流電圧の周期を検出する周期検出手段と、
前記交流電力系統の電圧の周期の変化量ΔＴを関数演算した
【数４】
0004038318.tif 000012
を最新検出した交流電力系統の電圧の周期Ｔに加えたＴ＊＝Ｔ＋Ｆ(ΔＴ)を新たな電流指令の周期として求める電流指令周期演算手段と、
前記交流電力系統及び前記分散型電源の出力の電圧位相に同期し所定の位相で出力する前記周期の電流指令に合致するように前記分散型電源の出力電流の制御を行う分散型電源出力電流制御手段と、
を備えたことを特徴とする分散型電源の系統連系保護装置。
【請求項８】
前記周期検出手段が、電圧の所定位相間に発生した既知の周期を有する基準クロック数をデジタル計数して電圧の周期を計測することを特徴とする請求項７に記載の分散型電源の系統連系保護装置。
【請求項９】
電圧の周波数又は周期が所定範囲を超えた延べ時間が所定時間内に所定時間以上、または周波数又は周期が所定範囲を超えた回数が所定時間内に所定回数以上発生したとき、単独運転と判断する単独運転判定手段をさらに備えたことを特徴とする請求項６ないし８のいずれかに記載の分散型電源の系統連系保護装置。
【請求項１０】
前記分散型電源出力電流制御手段において、電流指令の周波数又は周期の変更は電流指令又は出力電流のゼロクロスにて行うことを特徴とする請求項６ないし９のいずれかに記載の分散型電源の系統連系保護装置。
【発明の詳細な説明】
【０００１】
【発明の属する技術分野】
この発明は、太陽光発電、燃料電池発電、風力発電、マイクロタービン発電などの直流電力又は交流電力をインバータやサイクロコンバータなどで商用周波数の交流電力に変換して負荷に供給すると共に、交流電力系統に連系して運転する分散型電源の系統連系保護方法およびその装置に関する。
【０００２】
【従来の技術】
図５は、例えば特許第２７９６０３５号公報に示された従来の保護方法およびその装置を示すブロック図であり、図において、１は太陽電池あるいは燃料電池等からなる直流電源で、インバータブリッジ２により交流電力に変換され、この交流電力はリアクトル３とコンデンサ４からなるフィルタによりＰＷＭ(パルス幅変調)制御にて発生する高調波分が除去されて負荷９に供給される。
【０００３】
一方、交流電力系統８からしゃ断器７と変圧器６を介して供給される一般家庭用の交流電力が負荷９に供給されており、インバータブリッジ２の交流電力は交流電力系統８に連系して運転する。負荷９に供給される交流電圧は、電圧検出器１０によって検出され、直流電源１の電圧Ｖを電圧指令Ｖ*に合致するように制御する増幅器１１の出力Ｖｃと、周波数検出回路２２や歪検出器２７等の情報をもとに３１の位相ゲイン設定回路にて設定された振幅のゲインＧと位相θと、により電流基準回路１２にて電流指令Ｉ*が生成され、この電流指令Ｉ*と電流検出器５で検出したインバータブリッジ２の出力電流Ｉが増幅器１３に入力され、ＰＷＭ制御部１４、駆動部１５を介して電流偏差が零になるようにインバータブリッジ２をＰＷＭ制御する。
【０００４】
電流基準Ｉ*の位相は、負荷９に供給される交流電圧の位相にほぼ一致しており、インバータブリッジ２から高力率の交流電力が供給される。
【０００５】
このような配電系統において、変圧器６を含む負荷側の保守点検を行う場合、遮断機７を開放して交流電源系統８から切り離して行われる。分散型電源が交流電力系統８から切り離された後も運転を続けている状態を単独運転と呼び保守点検を行うとき危険であるため、素早く確実に単独運転を検出して運転を停止する必要がある。
【０００６】
このとき、インバータブリッジ２から供給する電力と、負荷９の電力がバランスしていると単独運転の検出が難しく、この例ではインバータ出力の無効電力と負荷の無効電力がわずかでもアンバランスしている時はインバータ出力電圧の周波数がわずかに上昇又は下降するので周波数ｆと周波数変化率ｄｆ／ｄｔを検出し、演算回路２４によりｆ＋α(ｄｆ／ｄｔ)(αは係数)を求め、係数設定回路３０で重みづけをして図６の変数Ｆ1、Ｆ2を設定し、位相・ゲイン設定回路３１により周波数が上昇した場合はインバータ電流位相を進ませ、周波数が更に上昇して発散させ、周波数が下降した場合は電流位相を遅らせて周波数を下降して発散させ、周波数が周波数リレー１８に設定されたＦｘ又はＦｙを素早く超えて単独運転を短時間に検出する工夫がなされている。
【０００７】
また、電力の有効分及び無効分が完全にバランスしている時は電圧、周波数共に変化しないので、図７に示すように変圧器６の交流電圧のゼロクロス付近で鉄心の飽和特性により励磁電流ｉｅｘが正弦波から歪むことによる電圧波形ＶACのゼロクロス付近の歪の増大を歪検出回路２７、歪変化検出回路３３で検出し、単独運転の可能性を検出して、図６のゲイン特性の横軸Ｆ1と位相特性横軸Ｆ2をシフトし電力のバランスをくずして周波数と電圧を変動させ電圧リレー１７、周波数リレー１８でインバータブリッジ２の運転を停止させるようにしている。
【０００８】
【発明が解決しようとする課題】
従来の分散型電源の系統連系保護方法およびその装置は以上のように周波数の変化で電流位相を変えているが、その位相を変えるタイミングをいずれの位相に選んでも位相跳躍が発生し、又その結果出力電流に直流分が発生してしまい負荷及び変圧器にとっては好ましくない。
【０００９】
更に、電力の有効分及び無効分が完全にバランスして単独運転になったとき電圧波形のゼロクロス付近に発生する歪の増大は変圧器の特性によってまちまちで歪リレーの閾値の選び方が難しく、又、同一変圧器に２台以上の分散型電源が接続されていると変圧器に近い方の分散型電源が励磁電流を供給してしまって、下流の分散型電源にはその歪が発生しにくく検出できなくなる可能性があるなどの問題があった。
【００１０】
この発明は上記のような問題点を解消するためになされたもので、単独運転検出のために位相跳躍や出力電流の直流分が増加することもなく、また変圧器の特性や同一変圧器に接続されている分散型電源の台数に関係なく短時間に確実に単独運転検出することができる分散型電源の系統連系保護方法およびその装置を提供することを目的とする。
【００１１】
【課題を解決するための手段】
上記の目的に鑑み、この発明は、発電電力を交流電力に変換し交流電力系統と連系して運転する分散型電源において、前記交流電力系統及び前記分散型電源の出力の電圧位相に同期し所定の位相で出力する電流指令に合致するように前記分散型電源の出力電流の制御を行い、前記交流電力系統の電圧の周波数の変化量(ｄｆ／ｄｔ)を関数演算した
【数５】
0004038318.tif 000002
を最新検出した交流電力系統の電圧の周波数ｆに加えたｆ＊＝ｆ＋Ｆ(ｄｆ／ｄｔ)を新たな電流指令の周波数とすることを特徴とする分散型電源の系統連系保護方法にある。
【００１２】
また、発電電力を交流電力に変換し交流電力系統と連系して運転する分散型電源において、前記交流電力系統及び前記分散型電源の出力の電圧位相に同期し所定の位相で出力する電流指令に合致するように前記分散型電源の出力電流の制御を行い、前記交流電力系統の電圧の周期の変化量ΔＴを関数演算した
【数６】
0004038318.tif 000003
を最新検出した交流電力系統の電圧の周期Ｔに加えたＴ＊＝Ｔ＋Ｆ(ΔＴ)を新たな電流指令の周期とすることを特徴とする分散型電源の系統連系保護方法にある。
【００１３】
また、電圧の所定位相間に発生した既知の周期を有する基準クロックのクロック数をディジタル計数して電圧の周期を計測することを特徴とする請求項２に記載の分散型電源の系統連系保護方法にある。
【００１４】
また、電圧の周波数又は周期が所定範囲を超えた延べ時間が所定時間内に所定時間以上、または周波数又は周期が所定範囲を超えた回数が所定時間内に所定回数以上発生したとき、単独運転と判断することを特徴とする請求項１ないし３のいずれかに記載の分散型電源の系統連系保護方法にある。
【００１５】
また、電流指令の周波数又は周期の変更は電流指令又は出力電流のゼロクロスにて行うことを特徴とする請求項１ないし４のいずれかに記載の分散型電源の系統連系保護方法にある。
【００１６】
また、発電電力を交流電力に変換し交流電力系統と連系して運転する分散型電源において、負荷に供給される交流電圧の周波数を検出する周波数検出手段と、前記交流電力系統の電圧の周波数の変化量(ｄｆ／ｄｔ)を関数演算した
【数７】
0004038318.tif 000004
を最新検出した交流電力系統の電圧の周波数ｆに加えたｆ＊＝ｆ＋Ｆ(ｄｆ／ｄｔ)を新たな電流指令の周波数として求める電流指令周波数演算手段と、前記交流電力系統及び前記分散型電源の出力の電圧位相に同期し所定の位相で出力する前記周波数の電流指令に合致するように前記分散型電源の出力電流の制御を行う分散型電源出力電流制御手段と、を備えたことを特徴とする分散型電源の系統連系保護装置にある。
【００１７】
また、発電電力を交流電力に変換し交流電力系統と連系して運転する分散型電源において、負荷に供給される交流電圧の周期を検出する周期検出手段と、前記交流電力系統の電圧の周期の変化量ΔＴを関数演算した
【数８】
0004038318.tif 000005
を最新検出した交流電力系統の電圧の周期Ｔに加えたＴ＊＝Ｔ＋Ｆ(ΔＴ)を新たな電流指令の周期として求める電流指令周期演算手段と、前記交流電力系統及び前記分散型電源の出力の電圧位相に同期し所定の位相で出力する前記周期の電流指令に合致するように前記分散型電源の出力電流の制御を行う分散型電源出力電流制御手段と、を備えたことを特徴とする分散型電源の系統連系保護装置にある。
【００１８】
また、前記周期検出手段が、電圧の所定位相間に発生した既知の周期を有する基準クロック数をデジタル計数して電圧の周期を計測することを特徴とする請求項７に記載の分散型電源の系統連系保護装置にある。
【００１９】
また、電圧の周波数又は周期が所定範囲を超えた延べ時間が所定時間内に所定時間以上、または周波数又は周期が所定範囲を超えた回数が所定時間内に所定回数以上発生したとき、単独運転と判断する単独運転判定手段をさらに備えたことを特徴とする請求項６ないし８のいずれかに記載の分散型電源の系統連系保護装置にある。
【００２０】
また、前記分散型電源出力電流制御手段において、電流指令の周波数又は周期の変更は電流指令又は出力電流のゼロクロスにて行うことを特徴とする請求項６ないし９のいずれかに記載の分散型電源の系統連系保護装置にある。
【００２１】
【発明の実施の形態】
以下、この発明の各実施の形態を図に従って説明する。
実施の形態１．
図１はこの発明の一実施の形態による分散型電源の系統連系保護方法およびその装置を示す制御ブロック図である。図中、従来のものと同一符号で示されているものは同一もしくは相当部分を示し、説明は省略する。
【００２２】
本図で用いる電流基準回路１２は増幅器１１の出力電圧Ｖｃと系統電圧Ｖａに応じて振幅が変化し、周波数検出回路２２にて検出された系統電圧周波数ｆとその変化量ｄｆ／ｄｔを所定関数演算したＦ(ｄｆ／ｄｔ)((１)式による)した分を加算した周波数ｆ*(＝ｆ＋Ｆ(ｄｆ／ｄｔ))を周波数とする電流指令Ｉａ*を出力し、増幅器１３により系統に流出される電流Ｉａが電流指令Ｉａ*と合致するように制御する。
【００２３】
【数１】
0004038318.tif 000006
【００２４】
一方、電圧リレー１７は電圧検出器１０で検出した系統電圧Ｖａと設定電圧値と比較して交流電圧の異常を検出し、これを異常検出回路１９に入力する。
【００２５】
また、周波数検出回路２２で検出された周波数ｆは周波数リレー１８にも入力され、ここで系統電圧周波数の異常を検出し、これを異常検出回路１９に入力する。
【００２６】
以下、このように構成された本発明の実施の形態の動作について説明する。
【００２７】
今、負荷９を簡略化のため一般に行われているように図１に示すようなＬＲＣ並列負荷で説明する。負荷電流ＩLと負荷電圧Ｖａとの関係式は定常状態にて(２)式のようになる。
【００２８】
【数２】
0004038318.tif 000007
【００２９】
負荷電流ＩLを入力、負荷電圧Ｖａを出力とする位相特性曲線は、(１)式から例えば図２のようになる。この図は負荷の固有周波数(１／２π√(ＬＣ))が６０Ｈｚより低い場合を示している。この図において６０Ｈｚの交流電力系統に接続されている場合のこの分散型電源の動作点は周波数が６０Ｈｚ、位相が０°であり、この状態で遮断器７が開放され交流電力系統８から切り離されると、Ｉａは直ちには変化しないが、Ｖａの位相は直ちに負荷の特性曲線に接近しようとして遅れる。このことはＶａの周波数が直ちに降下することを意味する。すると元々ＩａはＶａと同相になるように制御されているので、Ｉａの周波数も降下しようとする。
【００３０】
このとき、Ｉａの周波数変化がＶａの周波数変化に比べて大きくなるようにＶａの周波数の変化量ｄｆ／ｄｔを所定関数演算したＦ(ｄｆ／ｄｔ)をＶａの周波数ｆに加えたものを電流指令Ｉａ*の周波数ｆ*としているので(変化量検出回路２３、関数演算器２３ａ、加算器２３ｂの部分参照)、Ｖａの周波数は加速度的に降下し、周波数リレー１８で単独運転を検出することができる。
【００３１】
負荷の固有周波数が交流電力系統の周波数よりも高いときには、Ｖａの周波数は加速度的に上昇し、周波数リレー１８で単独運転を検出することができる。
【００３２】
また、負荷の固有周波数が系統周波数と一致している場合にも交流電力系統としゃ断されれば、検出器や制御系のノイズとしての外乱でＶａの周波数は発散し、周波数リレー１８で単独運転を検出することができる。
【００３３】
尚、交流電力系統に連系されている場合には交流電力系統のインピーダンスが分散型電源の出力インピーダンスに比べてかなり小さいので、たとえ電流Ｉａの周波数を交流電力系統の周波数と異なって与えても系統電圧Ｖａの周波数は全くといっていいほど変化しないので正常時に単独運転を誤検出することはない。
【００３４】
なお、周波数検出手段が電圧検出器１０、周波数検出回路２２により構成され、電流指令周波数演算手段が変化量検出回路２３、関数演算器２３ａ、加算器２３ｂにより構成され、分散型電源出力電流制御手段が増幅器１１、電流基準回路１２、増幅器１３、ＰＷＭ制御部１４および駆動部１５により構成される。
【００３５】
実施の形態２．
なお、上記実施の形態では系統電圧周波数を検出して、その周波数に基づいて電流指令Ｉａ*の周波数を決定する方法を示したが、周波数の代わりに系統電圧の周期を例えば電圧ゼロクロスなどで検出してもよく、その場合のこの発明の別の実施の形態による分散型電源の系統連系保護方法およびその装置の制御ブロック図を図３に示す。
【００３６】
図３において、系統電圧Ｖａの周期を４２の周期検出回路で検出し、変化量検出回路４３にて前回の検出周期からの変化量(増加した場合を正とする)△Ｔ求め、それを所定関数演算したＦ(ΔＴ)((３)式による)と、今回の周期Ｔとを加えたＴ*＝Ｔ＋Ｆ(ΔＴ)を電流指令Ｉａ*の周期として与えてやると(変化量検出回路４３、関数演算器４３ａ、加算器４３ｂの部分参照)、交流電力系統に連系されている場合には実施の形態１と同じ理由により系統電圧Ｖａの周期は安定しているが、遮断器７が開放されて単独運転状態になると系統電圧Ｖａの周期は途端に発散し、周期リレー４８にて単独運転を検出することができる。
【００３７】
【数３】
0004038318.tif 000008
【００３８】
なお、周期検出手段が電圧検出器１０、周期検出回路４２により構成され、電流指令周期演算手段が変化量検出回路４３、関数演算器４３ａ、加算器４３ｂにより構成され、分散型電源出力電流制御手段が増幅器１１、電流基準回路１２、増幅器１３、ＰＷＭ制御部１４および駆動部１５により構成される。
【００３９】
実施の形態３．
尚、上記実施の形態では、負荷の固有周波数が系統周波数と一致している場合には、検出器や制御系のノイズとしての外乱でＶａの周波数あるいは周期が発散すると述べたが、それを確実に行う方法を図４を用いて説明する。制御ブロック図は図３に示した内容になるが、系統電圧Ｖａの周期を検出するのに周期検出回路４２において例えば外部からの周期がｔcの基準クロックＣＬを用いてＶａのゼロクロスからゼロクロスまでに発生した基準クロック数をデジタル計数器(例えば４２ａで示す)で計数し、その数がｎであったならｔc・ｎを電圧Ｖａの周期として検出する。なお、基準クロック発振器を周期検出回路４２内に設けてもよい。
【００４０】
すると一般に基準クロックと電力系統とは同期をとっている訳ではないので、少なくとも±１ビットの電子化誤差が発生する。その電子化誤差分は所定関数演算で増幅されて電流指令Ｉａ*の周期となるように制御されるので、単独運転になったらその電子化誤差発生をきっかけとして、周期が発散し、周期リレー４８にて単独運転が検出できる。
【００４１】
実施の形態４．
又、上記実施の形態では電流指令Ｉａ*の周波数あるいは周期に対し制限を加えなかったが、単独運転中にあまり大きくそれらが逸脱することはリアクトル３、コンデンサ４、変圧器６及び負荷９にとって好ましくない場合があるので、上限及び下限を設けた方がよい。
【００４２】
電流指令Ｉａ*の周波数あるいは周期に上限及び下限の制限を設けた場合、負荷の固有周波数が系統周波数と一致している条件などで単独運転となった場合に電圧Ｖａの周波数または周期が周波数あるいは周期の上限と下限の間を往復するハンチング現象や上限あるいは下限を少し超えては制限内に復帰し、また少し超えては復帰するというのを繰り返すことがある。ここで、単独運転を検出してからインバータブリッジ２を停止させるタイミングについて少し説明すると、電力系統では落雷などにより短い瞬時停電が発生することがあるので、あまり短い単独運転に対してはインバータブリッジ２を停止しなくても支障を生じない。
【００４３】
そこで一般には単独運転検出が所定時間続いた場合にインバータブリッジ２を停止させる処置をとるが、本発明の場合には周波数または周期の上限あるいは下限を一端超えたものが制限内に復帰することもあり得るので、電圧Ｖａの周波数又は周期が所定範囲を超えた延べ時間が所定時間内に所定時間以上、または、周波数又は周期が所定範囲を超えた回数が所定時間内に所定回数以上となったとき単独運転と判断しインバータブリッジ２を停止させれば確実に単独運転に対する保護が行える。
【００４４】
上記の単独運転判定手段は例えば異常検出回路１９に１９ａで示すようにその機能を持たせることができ、例えばロジック回路やマイコンを設けることで容易に実施できる。
【００４５】
実施の形態５．
また、上記実施の形態の上記分散型電源出力電流制御手段の制御での電流指令の周波数又は周期を変更するタイミングであるが、無秩序に行うと出力電流Ｉａに直流成分が発生し変圧器６や負荷９に対して好ましくないので、電流指令Ｉａ*又は出力電流Ｉａのゼロクロス時点にて変更し、その１周期分は電流指令Ｉａ*の周波数又は周期および振幅は変更しないようにする。これにより出力電流Ｉａが電流指令Ｉａ*に合致するように制御されれば、出力電流Ｉａに直流成分は発生しない。
【００４６】
尚、上記各実施の形態では太陽光発電システムのような直流電圧をインバータブリッジにて交流に変換し、交流電力系統に連系する例について示したが、マイクロタービン発電や風力発電では交流電圧を発電する場合もあるので、サイクロコンバータを用いて交流電圧を直接交流電圧に変換し交流電力系統に連系する場合の系統連系保護方法としても同様に適用でき同様の効果を奏する。
【００４７】
【発明の効果】
以上のようにこの発明によれば、発電電力を交流電力に変換し交流電力系統と連系して運転する分散型電源において、前記交流電力系統及び前記分散型電源の出力の電圧位相に同期し所定の位相で出力する電流指令に合致するように前記分散型電源の出力電流の制御を行い、前記電圧の周波数の変化量を所定関数演算した分を現在又はそれ以前の電流指令又は電圧の周波数に加えたものを新たな電流指令の周波数とすることを特徴とする分散型電源の系統連系保護方法およびその装置としたので、単独運転検出のために位相跳躍や出力電流の直流分が増加することもなく、また変圧器の特性や同一変圧器に接続されている分散型電源の台数に関係なく短時間に確実に単独運転検出することができる。
【００４８】
また、発電電力を交流電力に変換し交流電力系統と連系して運転する分散型電源において、前記交流電力系統及び前記分散型電源の出力の電圧位相に同期し所定の位相で出力する電流指令に合致するように前記分散型電源の出力電流の制御を行い、前記電圧の周期の変化量を所定関数演算した分を現在又はそれ以前の電流指令又は電圧の周期に加えたものを新たな電流指令の周期とすることを特徴とする分散型電源の系統連系保護方法およびその装置としたので、同様に単独運転検出のために位相跳躍や出力電流の直流分が増加することもなく、また変圧器の特性や同一変圧器に接続されている分散型電源の台数に関係なく短時間に確実に単独運転検出することができる。
【００４９】
また、電圧の所定位相間に発生した既知の周期を有する基準クロックのクロック数をディジタル計数して電圧の周期を計測するようにしたので、周期が正確に検出でき、ひいては確実に単独運転検出することができる。
【００５０】
また、電圧の周波数又は周期が所定範囲を超えた延べ時間が所定時間内に所定時間以上、または周波数又は周期が所定範囲を超えた回数が所定時間内に所定回数以上発生したとき、単独運転と判断するようにしたので、正確に単独運転を判断できる。
【００５１】
また、電流指令の周波数又は周期の変更は電流指令又は出力電流のゼロクロスにて行うようにしたので、これにより変更したその１周期分は電流指令の周波数又は周期および振幅は変更しないようにすれば、出力電流が電流指令に合致するように制御され、これにより出力電流に直流成分が発生することはない。
【図面の簡単な説明】
【図１】  この発明の一実施の形態による分散型電源の系統連系保護方法およびその装置を示す制御ブロック図である。
【図２】  負荷の位相特性曲線を示す図である。
【図３】  この発明の他の実施の形態による分散型電源の系統連系保護方法およびその装置を示す制御ブロック図である。
【図４】  この発明の他の実施の形態の周期検出方法を示すタイムチャートである。
【図５】  従来の系統連系保護方法を示す制御ブロック図である。
【図６】  従来の系統連系保護方法の位相・ゲイン設定特性図である。
【図７】  交圧器電流電圧波形である。
【符号の説明】
１  直流電源、２  インバータブリッジ、３  リアクトル、４  コンデンサ、５  電流検出器、６  変圧器、７  しゃ断器、８  交流電力系統、９  負荷、１０  電圧検出器、１１，１３  増幅器、１２  電流基準回路、１４  ＰＷＭ制御部、１５  駆動部、１７  電圧リレー、１８  周波数リレー、１９  異常検出回路、２２  周波数検出回路、２３，４３  変化量検出回路、２３ａ，４３ａ  関数演算器、２３ｂ，４３ｂ  加算器、４２  周期検出回路、４８  周期リレー。
【図１】
0004038318.tif 000013
【図２】
0004038318.tif 000014
【図３】
0004038318.tif 000015
【図４】
0004038318.tif 000016
【図５】
0004038318.tif 000017
【図６】
0004038318.tif 000018
【図７】
0004038318.tif 000019